(57)【特許請求の範囲】
【請求項１】
回転エレメント（１２）の回転特性を決定するセンサ（１０）であって、
前記回転エレメント（１２）に接続可能な検出歯車（１４）を有し、
前記検出歯車（１４）は第１の読み取りトラック（１６）を有し、
前記第１の読み取りトラック（１６）が第１の複数の磁気的な事象検出器（１８）を有し、
前記第１の複数の磁気的な事象検出器（１８）によって生ぜしめられた磁気的な事象を検出する第１の磁気センサ（２２）を有し、
前記第１の読み取りトラック（１６）は、
前記検出歯車（１４）の全外周（２０）に亘って、前記第１の複数の事象検出器（１８）の磁界強度が第１の最大北極（２８）から第１の最大南極（３０）に向かって段階的に上昇するように構成されており、前記第１の最大北極（２８）と前記第１の最大南極（３０）とは隣り合っており、
前記検出歯車（１４）はさらに第２の読み取りトラック（４４）を有し、
前記第２の読み取りトラック（４４）が第２の複数の磁気的な事象検出器（４６）を有し、
前記第２の複数の磁気的な事象検出器（４６）によって生ぜしめられた磁気的な事象を検出する第２の磁気センサ（５２）を有し、
前記第２の読み取りトラック（４４）は、
前記検出歯車（１４）の前記全外周（２０）に亘って、前記第２の複数の事象検出器（４６）の磁界強度が第２の最大北極（４８）から第２の最大南極（５０）に向かって段階的に上昇するように構成されており、前記第２の最大北極（４８）と前記第２の最大南極（５０）とは隣り合っており、前記第２の複数の事象検出器（４６）の磁界強度の上昇方向は、前記第１の複数の事象検出器（１８）の磁界強度の上昇方向とは逆向きであり、
前記検出歯車（１４）はさらに第３の読み取りトラック（７２）を有し、
前記第３の読み取りトラック（７２）が第３の複数の磁気的な事象検出器（７４）を有し、
前記第３の複数の磁気的な事象検出器（７４）によって生ぜしめられた磁気的な事象を検出するための第３の磁気センサ（８０）を有し、
前記第３の読み取りトラック（７２）は、
前記第３の複数の事象検出器（７４）が、前記検出歯車（１４）の前記全外周（２０）に亘って交互に配置された複数の北極（７６）および複数の南極（７８）を有するように構成されている
ことを特徴とするセンサ（１０）。
【請求項２】
前記第１の読み取りトラック（１６）は、
前記検出歯車（１４）の前記全外周（２０）に亘って、前記第１の複数の事象検出器（１８）の磁界強度が前記第１の最大北極（２８）から前記第１の最大南極（３０）に向かって連続的に変化するように構成されている
請求項１に記載のセンサ（１０）。
【請求項３】
前記第１の複数の事象検出器（１８）の前記磁界強度が第１の方向（５８）で変化し、
前記第２の複数の事象検出器（４６）の前記磁界強度が第２の方向（６０）で変化し、
この場合、前記第２の方向（６０）が前記第１の方向（５８）とは逆向きである
請求項１又は２に記載のセンサ（１０）。
【請求項４】
前記第１の磁気センサ（２２）が第１の信号（６６）をアウトプットし、かつ、前記第２の磁気センサ（５２）が第２の信号（６８）をアウトプットするために構成されており、前記第１の信号（６６）と前記第２の信号（６８）とから差分信号が形成される
請求項１〜３のいずれか１項に記載のセンサ（１０）。
【請求項５】
前記第１の信号（６６）と前記第２の信号（６８）とから、第１のパルス幅変調された信号および第２のパルス幅変調された信号が生成可能である
請求項４に記載のセンサ（１０）。
【請求項６】
前記回転エレメント（１２）がカムシャフトであって、
前記回転特性が前記カムシャフトの絶対角度である
請求項１〜５のいずれか１項に記載のセンサ（１０）。
【発明の詳細な説明】
【技術分野】
【０００１】
従来技術によれば、回転エレメントの少なくとも１つの回転特性を検出する多くのセンサが公知である。この場合、回転特性とは、回転エレメントの回転を少なくとも部分的に記述する一般的な特性であると解釈されてよい。これは、回転エレメントの連続的または不連続的な、均一または不均一な回転または旋回を特徴付け得る、例えば角速度、回転数、角加速度、回転角度、角度位置またはその他の特性であってよい。このような形式のセンサの１例は、非特許文献１に記載されている。
【背景技術】
【０００２】
特許文献１には、少なくとも１つの磁気センサを有する回転数センサについて記載されており、この回転数センサにおいて、回転エレメントの少なくとも１つの第１の回転数範囲内で第１の読み取りトラックの磁気的な事象信号発信器によって生ぜしめられた事象の検出が可能であり、また第１の回転数範囲とは異なる少なくとも１つの第２の回転数範囲内で第２の読み取りトラックの磁気的な事象検出器によって生ぜしめられた磁気的な事象の検出が可能であり、この場合、第２の読み取りトラックの磁気的な事象検出器の数が第１の読み取りトラックの磁気的な事象検出器の数を、少なくとも係数１．４だけ上回っている。
【０００３】
本発明の特別な、しかしながら基本的にこれに限定されない主要テーマは、カムシャフトの絶対角度位置を検出することにある。カムシャフトセンサは一般的な形式で、エンジン始動時におけるカムシャフトとクランク軸とをシンクロナイズさせるために利用される。クランク軸およびカムシャフトは、それぞれ１つの検出歯車を備えている。カムシャフトのために、通常はシリンダ毎に検出歯車の、それぞれ１つの歯／歯溝対が使用される。相応に、４気筒エンジンはカムシャフトに、４つの歯／歯溝対を備えた検出歯車を有している。測定のために、ホール効果またはＸＭＲ原理（Ｘ磁気抵抗）に基づくセンサが使用される。標準的な形式で、このセンサ内に永久磁石が取り付けられており、この永久磁石の磁界は、回転する検出歯車によって変調される。この変調された磁界が前記原理に基づいて検出され、それによって使用可能な信号に変換され得る。カムシャフトセンサは、エンジンストロークの大まかな検出のために、若しくはエンジンがどのエンジンストロークにあるかを決定するために、つまりシリンダ位置を決定するために用いられる。このセンサは、歯または歯溝を明確に検知するための機能を有してよい。同様に、このセンサは、センサ信号が中断することなしに、センサが検出歯車の回転方向に向かってねじられる機能を有していてよい。この場合、すべてのセンサは検出歯車の歯縁部を検出する。
【０００４】
このようなセンサによって得られた改善にも拘わらず、相変わらず改善の可能性が存在する。従って、最新世代のエンジンのダイナミックに調整可能なカムシャフト位置は、カムシャフト位置の分解能の高い検出を要求する。しかも、このカムシャフト位置は絶対角度として検出する必要がある。従来のセンサは、このような要求を満たすことができない。絶対角度はダイナミックな場合においてのみ、つまり回転する検出歯車においてのみ、および弁開閉時期制御装置の歯／歯溝組み合わせに基づいて大まかにのみ算出される。センサ信号は単独では絶対角度を提供できない。同様に、使用された検出歯車の小さい直径によって、分解能は制限されている。このような小さい直径によって、維持されなければならない最小の歯溝寸法が生じる。
【先行技術文献】
【特許文献】
【０００５】
【特許文献１】独国特許出願公開第１０２０１２２２１３２７号明細書
【非特許文献】
【０００６】
【非特許文献１】Sensoren im Kraftfahrzeug, (独), Konrad Reif (Hrsg.), 2010, 1. Auflage, P.63-73 und P.120-129
【発明の概要】
【発明が解決しようとする課題】
【０００７】
そこで、公知のセンサの欠点を少なくとも十分に避けることができ、特に回転エレメントの回転特性を高分解能で検出することができ、また特にカムシャフトの絶対角度を高分解能で検出することができるような、回転エレメントの少なくとも１つの回転特性を決定するためのセンサが提案される。
【課題を解決するための手段】
【０００８】
本発明による、回転エレメントの少なくとも１つの回転特性を決定するためのセンサは、少なくとも１つの第１の読み取りトラックを備えた、回転エレメントに接続可能な検出歯車を有している。読み取りトラックは、第１の複数の磁気的な事象検出器を有している。このセンサはさらに、第１の複数の磁気的な事象検出器によって生ぜしめられた磁気的な事象を検出するための少なくとも１つの第１の磁気センサを有している。第１の読み取りトラックは、検出歯車の全外周に亘って、第１の複数の事象検出器の磁界強度が第１の最大北極から第１の最大南極に向かって段階的に変化するように、構成されている。
【０００９】
相応に、検出歯車を備えたセンサが提案されており、この検出歯車は全外周に亘って、つまり３６０°に亘って、第１の読み取りトラックを備えている。第１の読み取りトラックは、第１の複数の磁気的な事象検出器を有している。このことは一般的に、第１の複数の磁気的な事象検出器を備えた検出歯車が実施形態に応じて、それぞれの個別の事象検出器によってセンサ領域内で磁界を発生させることができるか、またはこの領域内に存在する磁界を変えるか若しくはこの磁界に影響を及ぼすことができる、という意味である。
【００１０】
従って、磁気的な事象とは、センサの領域内の磁界のそれぞれの影響または変化のことである。センサによって検出された磁気的な事象は、絶対角度を算出するためのベースとして用いられ得る。これは、特に、第１の複数の事象検出器の磁界強度が、検出歯車の外周に亘って、第１の最大北極から第１の最大南極に向かって段階的に変化することによって、得られる。言い換えれば、検出歯車の第１の読み取りトラックは正確に１つの最大北極と１つの最大南極とを有している。この最大北極と最大南極との間で、第１の複数の事象検出器の磁界強度が段階的に変化せしめられる。より精確には、最大南極から徐々に磁界強度が低下せしめられる。例えば０ｍＴにおいて、南極への切換えが行われる。次いで再び、磁界強度が最大南極まで徐々に上昇される。相応に、最大南極と最大北極とは隣り合っている。
【００１１】
第１の読み取りトラックは、検出歯車の全外周に亘って、事象検出器の磁界強度が第１の最大北極から第１の最大南極に向かって連続的に変化するように、構成されていてよい。言い換えれば、磁界の段階的な変化は、個別の段階が無限小に小さく選定されるように、行われる。
【００１２】
検出歯車はさらに、第２の読み取りトラックを有していてよい。第２の読み取りトラックは、第２の複数の磁気的な事象検出器を有していてよい。第２の読み取りトラックは、検出歯車の全外周に亘って、第２の複数の事象検出器の磁界強度が第２の最大北極から第２の最大南極に向かって段階的に変化するように、構成されていてよい。第１の複数の事象検出器の磁界強度は、第１の方向で変化してよい。第２の複数の事象検出器の磁界強度は、第２の方向で変化してよい。第２の方向は第１の方向とは逆向きであってよい。センサはさらに、第２の複数の磁気的な事象検出器によって生ぜしめられた磁気的な事象を検出するための第２の磁気センサを有していてよい。第１の磁気センサは、第１の信号をアウトプットするために構成されていてよい。第２の磁気センサは、第２の信号をアウトプットするために構成されていてよい。回転エレメントの回転特性を決定するために、第１の信号と第２の信号とから成る差分信号を使用することができる。第１の信号または差分信号から、パルス幅変調された信号が生ぜしめられ得る。検出歯車はさらに第３の読み取りトラックを有していてよい。第３の読み取りトラックは、複数の第３の磁気的な事象検出器を有していてよい。第３の読み取りトラックは、第３の複数の事象検出器が、検出歯車の全外周に亘って交互に配置された複数の北極および複数の南極を有するように、構成されていてよい。言い換えれば、複数の北極および複数の南極は、それぞれ複数の対として、検出歯車の外周に亘って分配して配置されている。センサはさらに、複数の第３の磁気的な事象検出器によって生ぜしめられた磁気的な事象を検出するための第３の磁気センサを有していてよい。磁気センサとして、特にホールセンサ、つまりホール素子を備えたセンサ、例えばホールプレートが使用されてよい。本発明によれば、回転エレメントがカムシャフトである限り、このセンサは特にカムシャフトの絶対角度を検出することができる。
【００１３】
本発明によれば、カムシャフトの絶対角度は無接触で測定され得る。この場合、本発明は、可変に調節可能な分解能を有する絶対角度の測定を可能にする。
【００１４】
絶対角度の測定を可能にするために、多極検出歯車が使用される。この多極検出歯車において、１から３までの読み取りトラックが磁化されている。絶対角度検出のために、少なくとも１つの読み取りトラックにおいて次のように磁化が行われなければならない：検出歯車の全３６０°に亘って、北極から南極への、最大北極若しくは最大南極に相当する１００％若しくは−１００％の切換えが２回だけ行われる。つまり、最大北極から磁界強度が段階的に低下せしめられる。約０ｍＴにおいて、南極への切換えが行われる。次いで再び磁界強度が段階的に最大南極まで上昇せしめられる。従って、最大南極と最大北極とが隣合って位置している。この「磁化反転」は「連続的に」行われるか、または量子化されて行われてよい。この場合、連続的な磁化反転は多くの欠点を有しているが、両方の点も有しており、この両方の点については後で詳しく説明されている。
【００１５】
エアギャップの影響およびその他の妨害を最小化するために、第１の読み取りトラックに対して反転された磁化を有する別の読み取りトラックが設けられてよい。これら２つの読み取りトラックから差分信号が形成されることができ、これによって、エアギャップ変化の影響を受けにくくなり、しかも非連続的な磁化において磁化のより微細な量子化が可能となる。
【００１６】
この分解能が不十分であれば、第３の読み取りトラックが検出歯車に設けられ得る。この読み取りトラックは、典型的な歯／歯溝対を発生させるために、交互に北極および南極で磁化される。この第３の読み取りトラックは、エンジン停止時における絶対角度を測定するためには寄与し得ない。しかしながらカムシャフトが回転している場合には、第１の読み取りトラックからの信号または第１および第２の読み取りトラックの信号をさらに分割するような信号が発生され得る。それによって、特に、第１の読み取りトラックの量子化された磁化、または第１および第２の読み取りトラックの量子化された磁化において、運転中のより高い分解能を得ることができる。
【００１７】
読み取りトラックを走査するためにホールプレートが使用される。第１の読み取りトラックの信号または第１および第２の読み取りトラックの信号から、パルス幅変調された信号が生成される（デューティサイクル、短いＤＣ）。第３の読み取りトラックが存在していれば、この第３の読み取りトラックから典型的な矩形波信号が生成される。これらの信号の組み合わせによって、カムシャフト位置の分解能の高い検出が可能である。本発明は、第１の読み取りトラックおよびＤＣ信号だけによって、第１および第２の読み取りトラックおよび差分ＤＣ信号によって、または第１から第３の読み取りトラックおよび組み合わせられた信号によって、実行することができる。有効な信号範囲が１０％〜９０％であることによって、ＤＣ信号を用いて、追加的に診断機能を実行することができる。この値を下回るかまたは上回る信号は、診断のために利用することができる。ＤＣ信号の信号長さおよび周波数、並びに読み取りトラックの配置、磁界強度の配置、および第１および第２の読み取りトラックのための量子化段階の大きさは、可能な範囲で最良の性能のためにさらなる開発段階で最適化されなければならない。
【００１８】
連続的な磁化が選択されるべきか、または量子化された磁化が選択されるべきかは、それぞれの要求に依存している。第１および第２の読み取りトラックの連続的な磁化の利点は、一方では、最大北極と最大南極とのスパン幅から成るアルゴリズムを用いて、有効な信号範囲が検出され、次いで、同じアルゴリズムを用いてＤＣ特性曲線の量子化が行われる、という点にある。他方では、このアルゴリズムは、完全な１回転毎に磁界強度のスパン幅を検査する。ＤＣ特性曲線の量子化が更新され得る傾向にあり、それによってスパン幅の変化に応じることができる。従って、エアギャップ変化、温度変化等の周囲変化を補正することができる。連続的な磁化の欠点は、センサのスイッチオン時に角度を直ちに読み取ることができず、北極または南極の１８０°上にあるかどうかの判断を下すことができるだけである、という点にある。最悪のケースでは、最大北極および最大南極が一度検出され、それによってＤＣ信号が算出されるまで、完全なカムシャフト回転が続くことがある。
【００１９】
このような考察は、ホール効果をベースにして実施された測定に関連している。原則として、ＸＭＲに基づく測定原理（Ｘ磁気抵抗）も利用することができる。それに応じて、読み取りトラックの磁化は適合されなければならない。同様に、３Ｄホールセンサによる解決策が考えられ得る。
【図面の簡単な説明】
【００２０】
【図１】回転エレメントの少なくとも１つの回転特性を決定するためのセンサの基本構造を示す図である。
【図２】磁界強度若しくは磁化と回転エレメントの角度との間の関係を説明するための線図である。
【図３】回転エレメントの少なくとも１つの回転特性を決定するための別のセンサの構造を示す図である。
【図４】磁界強度若しくは磁化と回転エレメントの角度との間の関係を説明するための線図である。
【図５】磁界強度若しくは磁化と回転エレメントの角度との間の関係を説明するための線図である。
【図６】磁界強度若しくは磁化と回転エレメントの角度との間の関係を説明するための線図である。
【図７】パルス幅変調およびインクリメントされた信号より成るアウトプット信号の全ての組み合わせを説明するための線図である。
【図８】磁界強度若しくは磁化と回転エレメントの角度との間の関係を説明するための線図である。
【発明を実施するための形態】
【００２１】
本発明のその他の追加的な詳細および特徴は、図面に概略的に示された以下の好適な実施例の説明に記載されている。
【００２２】
図１は、回転エレメント１２の少なくとも１つの回転特性を決定するためのセンサ１０の構造を示す。回転エレメント１２は例えば内燃機関のカムシャフトである。センサ１０は、回転エレメント１２に接続可能な検出歯車１４を有している。検出歯車１４は少なくとも１つの第１の読み取りトラック１６を有している。第１の読み取りトラック１６は第１の複数の磁気的な事象検出器１８を有している。第１の読み取りトラック１６は、この第１の読み取りトラック１６が検出歯車１４の外周２０全体に亘って延在するように、検出歯車１４に配置されている。言い換えれば、第１の読み取りトラック１６は、検出歯車１４の全外周または３６０°をカバーしている。
【００２３】
センサ１０はさらに、少なくとも１つの第１の磁気センサ２２を有している。第１の磁気センサ２２は第１のホールセンサ２４であって、例えばホールプレートの形状の少なくとも１つの第１のホール素子２６を有している。この場合、第１の読み取りトラック１６は、検出歯車１４の全外周２０に亘って、第１の複数の事象検出器１８の磁界強度が第１の最大北極２８から第１の最大南極３０へ段階的に変化するように構成されている。第１の読み取りトラック１６は特に、検出歯車１４の全外周２０に亘って、第１の複数の事象検出器の磁界強度が第１の最大北極２８から第１の最大南極３０へ連続的に変化するように構成されている。言い換えれば、磁界強度の段階的な変化は限りなく小さい。
【００２４】
図２は、Ｘ軸３４に示された回転エレメント１２の角度３２、特に絶対角度と、第１の複数の事象検出器１８の磁界強度若しくは第１の読み取りトラック１６の磁化３６の大きさとの間の関係を、例としてＹ軸３８に示されたパーセントで示す。この場合、曲線４０は、角度３２に依存する磁化を示す。従って、例えば最大北極２８に１００％の磁化が割り当てられていて、最大南極３０に−１００％の磁化が割り当てられている。さらに、最大南極３０に０°の絶対角度３２が割り当てられ、最大北極２８に３６０°の絶対角度３２が割り当てられていることが分かる。さらに、最大北極２８から、磁界強度が段階的に低下されることが分かる。この段階は、磁化が曲線４０に従って角度３２で直線的に変化するように、小さく選定されている。０％の磁化において若しくは０ｍＴの磁界強度において南極への変換が行われる。次いで再び、磁界強度は段階的に最大南極３０まで上昇される。従って、最大南極３０と最大北極２８とが並んで位置している。さらに、この「磁化反転」が連続して行われることが分かる。
【００２５】
図３は、回転エレメント１２の少なくとも１つの回転特性を決定するための別のセンサ１０の構造を示す。以下では、前記実施形態との相違点についてだけ説明されており、同じ構成部分には同じ符号が付けられている。図３のセンサ１０では、第１の読み取りトラック１６の第１の複数の磁気的な事象検出器１８の磁界強度の変化が、同じ大きさの段階４２で行われることが分かる。
【００２６】
図４は、角度３２と磁化３６との間の相応の関係を示す。磁化反転は段階４２に依存して量子化されて行われることが分かる。
【００２７】
図１を参照して、センサ１０は、検出歯車１４が追加的に、第２の複数の磁気的な事象検出器４６を備えた第２の読み取りトラック４４を有するように構成されていてよい。この場合、第２の読み取りトラック４４は、検出歯車１４の全外周２０に亘って第２の複数の磁気的な事象検出器４６の磁界強度が段階的に第２の最大北極４８から第２の最大南極５０に変化するように構成されている。さらに、センサ１０は、第２の複数の磁気的な事象検出器４６によって生ぜしめられた磁気的な事象を検出するための第２の磁気センサ５２を有している。第２の磁気センサ５２は第２のホールセンサ５４であってよい。相応に、第２の磁気センサ５２若しくは第２のホールセンサ５４は、例えば「ホールプレート」の形状の第２のホール素子５６を有している。ホール素子２６，５６は、唯一の磁気センサ内に統合されていてもよい。
【００２８】
図１ではさらに、第１の複数の磁気的な事象検出器１８の磁界強度が第１の方向５８で変化していることが分かる。第２の複数の磁気的な事象検出器４６の磁界強度は、第２の方向６０で変化する。第２の方向６０は第１の方向５８とは逆向きである。
【００２９】
図５は、２つの読み取りトラック１６，４４が上記形式で検出歯車１４に存在する場合の、角度３２と磁化３６との間の関係を示す。この場合、曲線６２は、第２の読み取りトラック４４の磁化を示す。第１の読み取りトラック１６の曲線４０と第２の読み取りトラック４４の曲線６２とが互いに逆向きに延在していることが分かる。何故ならば、第２の複数の磁気的な事象検出器４６の磁界強度は、第１の複数の磁気的な事象検出器１８の磁界強度に対して逆方向で変化するからである。これは、エアギャップの影響およびその他の妨害を最小にするために寄与する。
【００３０】
図３を参照しながら、図示のセンサのさらに別の変化例について説明する。図１の図示と同様に、第２の読み取りトラック４４をその磁界強度で段階的に、例えば同じ大きさの段階６４で変化させてもよい。
【００３１】
図６は、曲線４０および６２を用いて角度３２と磁化３６との間の相応の関係を示す。磁化の段階的な変化は、段階４２，６４に基づく量子化された形であることが分かる。
【００３２】
図７は、パルス幅変調およびインクリメントされた信号より成るアウトプット信号の全ての組み合わせを説明するための線図である。図７に示されているように、第１の磁気センサ２２、または磁気センサ２２から磁気センサ５２を差し引いた内部の差分信号が、第１の信号６６をアウトプットするために構成されていてよい。第３の磁気センサ８２は、第２の信号６８をアウトプットするために構成されていてよい。回転エレメント１２の回転特性の決定は第１の信号６６から得ることができ、または第１の信号６６と第２の信号６８との組み合わせから得ることができる。
【００３３】
図７は、図１および図３に記載したセンサの別の変化例を示す。従って、第１の信号６６はパルス幅変調された信号であってよい。第２の信号６８も、１−２の固定されたパルス幅を有するパルス幅変調された信号であってよい。第２のパルス幅は、回転方向識別のために使用されてよい。この場合、例えば磁界強度に依存する例えば２０％のデューティ比若しくはいわゆるデューティサイクルで、第１の信号６６若しくは第２の信号６８が回転方向に依存してパルス幅変調される。これは、絶対的な角度位置のさらにより精確な分解能を可能にする。従って、Ｘ軸３４にさらに角度３２が示されていて、Ｙ軸３８に、０〜１の間で変化し得る所属の信号値７０が示されている。
【００３４】
図１および図３を参照して、さらに別の変化例について説明する。この場合、検出歯車１４は第３の読み取りトラック７２を有していてよい。第３の読み取りトラック７２は、第３の複数の磁気的な事象検出器７４を有していてよい。第３の読み取りトラック７２は、第３の複数の事象検出器７４が複数の北極７６と複数の南極７８とを有しており、これらの北極７６および南極７８は、検出歯車１４の全外周２０に亘って交互に配置されているように構成されている。これに相応することが、図３のセンサにもあてはまる。この場合、第３の磁気センサ８０は、第３の複数の磁気的な事象検出器７４によって生ぜしめられた磁気的な事象を検出するために設けられていてよい。第３の磁気センサ８０は、同様にホールセンサ、特にホール素子８４を有する第３のホールセンサ８２であってよい。またホール素子２６，５６，８４の接続回路も図示されている。ホール素子２６，５６，８４は、唯一の磁気センサ内に統合されていてもよい。
【００３５】
図８は、第１の信号６６としての曲線４０と、第２の信号６８としての曲線６２と、第３の読み取りトラック７２の第３の信号としての曲線８６とによって、角度３２と磁化３６との間の関係を示す。第３の読み取りトラック７２は、分解能をさらに高めるために寄与する。第３の読み取りトラック７２は、一般的な検出歯車の典型的な歯／歯溝対を発生させるために、北極７６と南極７８とによって相応に交互に磁化されている。この場合、第３の読み取りトラック７２は、停止したモータにおける絶対角度の分解能のために寄与することはできない。しかしながら、回転するカムシャフトにおいて、図８に示されているように、第１の読み取りトラック１６および第２の読み取りトラック４４の信号を追加的に分割する信号を発生させることができる。特に、第１の読み取りトラック１６、または第１の読み取りトラック１６および第２の読み取りトラック４４の量子化された磁化において、このようなより高い分解能を運転中に得ることができる。このような信号の組み合わせによって、カムシャフト位置の分解能の高い検出が可能である。
【符号の説明】
【００３６】
１０  センサ
１２  回転エレメント
１４  検出歯車
１６  第１の読み取りトラック
１８  第１の複数の磁気的な事象検出器
２０  外周
２２  第１の磁気センサ
２４  第１のホールセンサ
２６  第１のホール素子
２８  第１の最大北極
３０  第１の最大南極
３２  角度、絶対角度
３４  Ｘ軸
３６  磁化
３８  Ｙ軸
４０  曲線
４４  第２の読み取りトラック
４６  第２の複数の磁気的な事象検出器
４８  第２の最大北極
５０  第２の最大南極
５２  第２の磁気センサ
５４  第２のホールセンサ
５６  第２のホール素子
５８  第１の方向
６０  第２の方向
６２  曲線
６４  段階
６６  第１の信号
６８  第２の信号
７０  信号値
７２  第３の読み取りトラック
７４  第３の複数の磁気的な事象検出器
７６  北極
７８  南極
８０  第３の磁気センサ
８２  第３の磁気センサ、第３のホールセンサ
８４  ホール素子
８６  曲線
ｍＴ  磁界強度
【図１】
0006356340.tif 000002
【図２】
0006356340.tif 000003
【図３】
0006356340.tif 000004
【図４】
0006356340.tif 000005
【図５】
0006356340.tif 000006
【図６】
0006356340.tif 000007
【図７】
0006356340.tif 000008
【図８】
0006356340.tif 000009